(57)【要約】      （修正有）【課題】複数の領域で表示される医用情報の関連性を分かりやすく表示する医用情報表示装置を提供する。【解決手段】医療情報システムにおいて、医用情報表示装置は、第１の時間軸における第１の期間に亘る第１の医用情報と、第２の時間軸における第２の期間に亘る第２の医用情報とを表示する表示制御部と、表示中の第１の医用情報について、第１の期間内の指定された時点または範囲の時間情報を取得する取得部と、時間情報に対応する第２の時間軸上の位置を決定する決定部とを備える。表示制御部は、位置を示す指示子を第２の医用情報を表示している領域に表示する。【選択図】図４
2020038641.tif 000002
【特許請求の範囲】
【請求項１】
第１の時間軸における第１の期間に亘る第１の医用情報と、第２の時間軸における第２の期間に亘る第２の医用情報とを表示する表示制御部と、
表示中の前記第１の医用情報について、前記第１の期間内の指定された時点または範囲の時間情報を取得する取得部と、
前記時間情報に対応する前記第２の時間軸上の位置を決定する決定部と
を具備し、
前記表示制御部は、前記位置を示す指示子を前記第２の医用情報を表示している領域に表示する、医用情報表示装置。
【請求項２】
前記決定部は、前記時間情報が前記第２の期間に含まれているか否かに基づいて、前記位置を決定する、
請求項１に記載の医用情報表示装置。
【請求項３】
前記時間情報が前記第２の期間に含まれている場合、
前記決定部は、前記時間情報に対応する、前記第２の期間内の前記位置を決定する、
請求項２に記載の医用情報表示装置。
【請求項４】
前記時間情報が前記第２の期間に含まれていない場合、
前記決定部は、前記時間情報に最も近い前記第２の期間内の時間情報に対応する、前記第２の期間内の前記位置を決定する、
請求項２または請求項３に記載の医用情報表示装置。
【請求項５】
前記時間情報が前記第２の期間に含まれていない場合、
前記表示制御部は、前記時間情報に対応する医用情報をプレビューとして前記領域に表示する、
請求項２または請求項３に記載の医用情報表示装置。
【請求項６】
前記表示制御部は、前記第１の医用情報を前記領域とは異なる他の領域に表示させる、
請求項１から請求項５までのいずれか一項に記載の医用情報表示装置。
【請求項７】
前記領域は、
前記第２の期間を少なくとも含む期間に対応するナビゲーション領域と、
前記ナビゲーション領域内に配置され、前記第２の期間に対応する部分ナビゲーション領域と
を備え、
前記表示制御部は、前記部分ナビゲーション領域の配置される位置にかかわらず、前記第２の時間軸上の位置を示す他の指示子を、表示中の前記ナビゲーション領域に表示する、
請求項６に記載の医用情報表示装置。
【請求項８】
前記領域は、前記第２の医用情報および前記指示子を表示する情報表示領域を備え、
前記表示制御部は、前記時間情報が第２の期間に含まれていない場合、前記情報表示領域内に、前記時間情報に対応する医用情報を表示するプレビュー領域を配置して表示する、
請求項６または請求項７に記載の医用情報表示装置。
【請求項９】
前記表示制御部は、前記時間情報に対応する、前記第１の時間軸上の位置および前記第２の時間軸上の位置を、前記他の領域の中心および前記領域の中心と一致するようにそれぞれ位置合わせして表示する、
請求項６から請求項８までのいずれか一項に記載の医用情報表示装置。
【請求項１０】
前記表示制御部は、位置合わせ前の前記他の領域および前記領域のそれぞれの表示状態と、位置合わせ後の前記他の領域および前記領域のそれぞれの表示状態とを切り替え可能に表示する、
請求項９に記載の医用情報表示装置。
【請求項１１】
前記取得部は、前記時間情報の取得を解除する解除指示を取得し、
前記表示制御部は、前記解除指示に従って、前記領域から前記指示子を除いて表示する、
請求項１から請求項１０までのいずれか一項に記載の医用情報表示装置。
【発明の詳細な説明】
【技術分野】
【０００１】
本発明の実施形態は、医用情報表示装置に関する。
【背景技術】
【０００２】
医師が診断や治療方針を検討するために必要な種々の診療データを、１つの画面上で表示する医用情報表示装置が望まれている。
【０００３】
例えば、複数の診療データにそれぞれ対応する複数のパネルに日付の指定を受け付ける操作部品を付与し、日付指定時に他パネル上で選択日付の情報を自動的に表示する医用情報表示装置が知られている。
【０００４】
この医用情報表示装置では、日付の自動的な表示切り替え処理が行われるまでは関連データを確認することはできず、選択された日時が所望の日時でなかった場合はそれまでの表示内容が失われてしまう可能性がある。
【０００５】
よって、従来の医用情報表示装置は、複数の領域で表示される医用情報の関連性がわかりづらいという問題があった。
【先行技術文献】
【特許文献】
【０００６】
【特許文献１】特開２０１７−１６２１２２号公報
【発明の概要】
【発明が解決しようとする課題】
【０００７】
本発明が解決しようとする課題は、複数の領域で表示される医用情報の関連性を分かりやすく表示することである。
【課題を解決するための手段】
【０００８】
実施形態に係る医用情報表示装置は、第１の時間軸における第１の期間に亘る第１の医用情報と、第２の時間軸における第２の期間に亘る第２の医用情報とを表示する表示制御部と、表示中の第１の医用情報について、第１の期間内の指定された時点または範囲の時間情報を取得する取得部と、時間情報に対応する第２の時間軸上の位置を決定する決定部とを備え、表示制御部は、位置を示す指示子を第２の医用情報を表示している領域に表示する。
【図面の簡単な説明】
【０００９】
【図１】図１は、一実施形態に係る医用情報表示装置が含まれる医療情報システムの構成例を示す図。
【図２】図２は、図１の医用情報表示装置の構成例を示す図。
【図３】図３は、図２のディスプレイに表示される診療画面の構成例を示す図。
【図４】図４は、図２の処理回路にて実行される処理を例示するフローチャート。
【図５】図５は、図３のバイタルサイン情報領域の別の表示例を示す図。
【図６】図６は、一実施形態における検体検査情報領域の表示例を示す図。
【図７】図７は、一実施形態における検体検査情報領域の別の表示例を示す図。
【図８】図８は、一実施形態において、ナビゲーション領域を含むバイタルサイン情報領域の表示例を示す図。
【図９】図９は、一実施形態におけるナビゲーション領域の構成例を示す図。
【図１０】図１０は、一実施形態において、ナビゲーション領域を含むバイタルサイン情報領域の別の表示例を示す図。
【図１１】図１１は、一実施形態における情報領域とナビゲーション領域との関係を例示する図。
【図１２】図１２は、一実施形態において、ナビゲーション領域を含む診療記録情報領域の表示例を示す図。
【図１３】図１３は、一実施形態において、ナビゲーション領域を含む診療記録情報領域の別の表示例を示す図。
【図１４】図１４は、一実施形態において、ナビゲーション領域を含む画像情報領域の表示例を示す図。
【図１５】図１５は、一実施形態において、ナビゲーション領域を含む画像情報領域の別の表示例を示す図。
【図１６】図１６は、一実施形態において、プレビュー領域を含むバイタルサイン情報領域の表示例を示す図。
【図１７】図１７は、一実施形態において、プレビュー領域を含む検体検査情報領域の表示例を示す図。
【図１８】図１８は、一実施形態において、プレビュー領域を含む診療記録情報領域の表示例を示す図。
【図１９】図１９は、一実施形態において、プレビュー領域を含む画像情報領域の表示例を示す図。
【図２０】図２０は、図２のディスプレイに表示される診療画面の別の構成例を示す図。
【図２１】図２１は、一実施形態における指示子の表示例を示す図。
【図２２Ａ】図２２Ａは、一実施形態における指示子の移動方法を例示する図。
【図２２Ｂ】図２２Ｂは、一実施形態における指示子の移動方法を例示する図。
【図２２Ｃ】図２２Ｃは、一実施形態における指示子の移動方法を例示する図。
【図２３Ａ】図２３Ａは、一実施形態における指示子の範囲選択方法を例示する図。
【図２３Ｂ】図２３Ｂは、一実施形態における指示子の範囲選択方法を例示する図。
【図２４Ａ】図２４Ａは、一実施形態において、範囲選択された指示子の移動方法を例示する図。
【図２４Ｂ】図２４Ｂは、一実施形態において、範囲選択された指示子の移動方法を例示する図。
【図２５】図２５は、一実施形態において、コメント上に指示子が表示された診療記録情報領域の表示例を示す図。
【図２６】図２６は、図２５の指示子を表示する位置を算出する方法を例示する図。
【図２７】図２７は、図２のディスプレイに表示される診療画面の別の構成例を示す図。
【図２８】図２８は、図２７の診療画面において、位置合わせが実行された後の診療画面の構成例を示す図。
【発明を実施するための形態】
【００１０】
以下、図面を参照しながら、医用情報表示装置の実施形態について、詳細に説明する。
【００１１】
図１は、一実施形態に係る医用情報表示装置が含まれる医療情報システムの構成例を示す図である。図１に示すように、医療情報システム１０は、医用情報表示装置１１、病院情報システム（Ｈｏｓｐｉｔａｌ  Ｉｎｆｏｒｍａｔｉｏｎ  Ｓｙｓｔｅｍｓ：ＨＩＳ）１２、放射線部門情報管理システム（Ｒａｄｉｏｌｏｇｙ  Ｉｎｆｏｒｍａｔｉｏｎ  Ｓｙｓｔｅｍｓ：ＲＩＳ）１３、医用画像診断装置１４、医用画像管理システム（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ：ＰＡＣＳ）１５およびデータウェアハウス（Ｄａｔａ  ＷａｒｅＨｏｕｓｅ：ＤＷＨ）１６を含む。医療情報システム１０、医用情報表示装置１１、ＨＩＳ１２、ＲＩＳ１３、医用画像診断装置１４、ＰＡＣＳ１５およびＤＷＨ１６は、例えばＬＡＮ（Ｌｏｃａｌ  Ａｒｅａ  Ｎｅｔｗｏｒｋ）などのネットワーク（病院内ネットワーク）を介して互いに通信可能に接続されている。
【００１２】
医用情報表示装置１１は、例えば、医療情報を統合的に観察することが可能な装置である。医用情報表示装置１１には、例えば統合ビューアが実装されている。統合ビューアは、医療情報を統合的にユーザに提示するアプリケーションである。統合ビューアに表示される診療画面は、例えば、診療医などの操作者が特定患者の診療情報を統合的に観察し、当該患者の診断および治療などを行うために表示される画面である。統合ビューアは、Ｗｅｂアプリケーション、ファットクライアントアプリケーションまたはシンクライアントアプリケーションなど、いずれの実装形態を採用してもよい。以降、「診療画面」は、「統合ビューアに表示される診療画面」であるものとして説明を行う。尚、医用情報表示装置１１の具体的な構成は後述される。
【００１３】
ＨＩＳ１２は、例えば、電子カルテに関する情報を管理する電子カルテシステムを含む。電子カルテに関する情報は、例えば、患者情報および診療情報などを含む。
【００１４】
患者情報は、患者固有の情報であり、例えば、患者ＩＤ、患者氏名、性別、誕生日および年齢などを含む。診療情報は、診療の過程で、患者の身体状況、病状および治療などについて、医療従事者が知り得た情報である。診療情報は、例えば、画像情報、検査履歴情報、心電図情報、バイタルサイン情報、薬歴情報、レポート情報、カルテ記載情報および看護記録情報などを含む。
【００１５】
画像情報は、例えば、患者を撮影などすることにより取得された医用画像の所在を表す情報である。画像情報には、例えば、検査が実施された結果、医用画像診断装置１４により生成される後述の医用画像ファイルの所在を表す情報が含まれる。
【００１６】
検査履歴情報は、例えば、患者に対して検体検査および細菌検査などが行われた結果取得される検査結果の履歴を表す情報である。
【００１７】
心電図情報は、例えば、患者から計測された心電図波形に関する情報である。
【００１８】
バイタルサイン情報は、例えば、患者の生命に関わる基本的な情報である。バイタルサイン情報には、例えば、脈拍数、呼吸数、酸素濃度、体温、血圧および意識レベルなどが含まれる。薬歴情報は、例えば、患者に投与された薬剤の量の履歴を示す情報である。
【００１９】
レポート情報は、例えば、診療科の診療医からの検査依頼に対して、放射線科の読影医がＸ線画像、ＣＴ画像、ＭＲＩ画像および超音波画像などの医用画像を読影し、患者の状態および疾患についてまとめた情報である。レポート情報には、例えば、読影医がＰＡＣＳ５に記憶された医用画像ファイルを参照して作成された読影レポートを表す読影レポート情報が含まれる。尚、一般的にレポート情報はＰＡＣＳ１５に記憶されているため、電子カルテシステムは、ＰＡＣＳ１５からレポート情報を読み出すことによって、当該レポート情報を表示することができる。
【００２０】
カルテ記載情報は、例えば、診療医などにより電子カルテに入力された情報である。カルテ記載情報には、例えば、入院時の診療記録、患者の病歴および薬の処方履歴などが含まれる。
【００２１】
看護記録情報は、例えば、看護師などにより電子カルテに入力された情報である。看護記録情報には、入院時の看護記録などが含まれる。
【００２２】
また、電子カルテに関する情報には、例えば、検査実施情報が含まれる。検査実施情報は、検査オーダ情報に従い検査を実施した医用画像診断装置１４により生成される。検査実施情報は、医用画像診断装置１４において実施された検査を表す情報である。検査実施情報には、オーダ番号、検査ＵＩＤ（Ｕｎｉｑｕｅ  ＩＤ）、患者ＩＤ、モダリティ種別、撮影部位および撮影条件などが含まれる。
【００２３】
検査ＵＩＤは、検査を一意に特定可能な識別子である。モダリティ種別は、撮影に用いたモダリティを表す。モダリティ種別には、例えば、「Ｘ線コンピュータ断層撮影装置」、「Ｘ線診断装置」、「磁気共鳴イメージング装置」および「超音波診断装置」などが含まれる。撮影部位は、検査オーダ情報に含まれる検査部位に対応する。撮影部位には、例えば、腹部、脳および胸部などが含まれる。撮影条件には、体位、撮影方向および造影剤の使用の有無などが含まれる。
【００２４】
また、ＨＩＳ１２は、例えば、予約情報およびオーダ情報などを管理するオーダシステムを含む。尚、ＨＩＳ１２は、電子カルテシステムがオーダリングシステムを含む構成であってもよい。
【００２５】
予約情報は、例えば、診察予約および検査予約などに関する情報を含む。診察予約に関する情報は、例えば、診察日、診察時刻、受付番号、依頼医師および依頼科などを含む。検査予約に関する情報は、例えば、検査日、検査時刻および受付番号などを含む。
【００２６】
オーダ情報は、例えば、診療医などが依頼するオーダについての情報である。具体的には、オーダ情報は、例えば、画像検査、検体検査、生理検査、処方箋および投薬などを含む。
【００２７】
オーダ情報が画像検査を依頼する検査オーダ情報である場合、検査オーダ情報には、例えば検査を識別可能なオーダ番号、患者ＩＤ、検査種別、検査部位および依頼元情報などが含まれる。オーダ番号は、検査オーダ情報が入力される際に発行される番号であり、例えば１つの病院内で検査オーダ情報を一意に特定するための識別子である。検査種別には、Ｘ線検査、ＣＴ（Ｃｏｍｐｕｔｅｄ  Ｔｏｍｏｇｒａｐｈｙ）検査、ＭＲ（Ｍａｇｎｅｔｉｃ  Ｒｅｓｏｎａｎｃｅ）検査およびＲＩ（Ｒａｄｉｏ  Ｉｓｏｔｏｐｅ）検査などが含まれる。検査部位には、例えば、腹部、脳および胸部などが含まれる。依頼元情報には、例えば、診療科名および担当医名などが含まれる。尚、オーダ情報は、検査予約に関する情報と連携している。
【００２８】
ＲＩＳ１３は、放射線検査業務に係る検査予約情報を管理するシステムである。ＲＩＳ１３は、例えばＨＩＳ１２に含まれるオーダシステムにおいて診療医から入力される検査オーダ情報に各種設定情報を付加して集積し、集積した情報を検査予約情報として管理する。なお、ＲＩＳ１３は、過去の検査の際に医用画像診断装置１４において設定された各種設定情報を記録した照射録を用いて、検査オーダ情報に対して各種設定情報を付加してもよい。ＲＩＳ１３は、検査予約情報に従い検査オーダを医用画像診断装置１４へ送信する。また、ＲＩＳ１３は、検査が実施された結果、医用画像診断装置１４により生成される検査実施情報を、ＨＩＳ１２に含まれる電子カルテシステムに送信する。
【００２９】
医用画像診断装置１４は、患者を撮影などすることにより検査を実施する装置である。医用画像診断装置１４は、例えばＸ線コンピュータ断層撮影装置、Ｘ線診断装置、磁気共鳴イメージング装置、核医学診断装置および超音波診断装置などを含む。医用画像診断装置１４は、例えばＲＩＳ１３から送信される検査予約情報に基づいて検査を実施する。医用画像診断装置１４は、検査実施情報を生成し、ＲＩＳ１３に送信する。
【００３０】
また、医用画像診断装置１４は、検査の実施により医用画像データを生成する。医用画像データは、例えばＸ線ＣＴ画像データ、Ｘ線画像データ、ＭＲＩ画像データ、核医学画像データおよび超音波画像データなどである。医用画像診断装置１４は、生成した医用画像データを例えばＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に準拠した形式に変換することにより、医用画像ファイルを生成する。医用画像ファイルは、例えば、ＤＩＣＯＭ規格に準拠した形式のファイルである。医用画像診断装置１４は、生成した医用画像ファイルをＰＡＣＳ１５に送信する。
【００３１】
ＰＡＣＳ１５は、種々の医用画像ファイルを管理するシステムである。ＰＡＣＳ１５は、例えば、医用画像診断装置１４から送信された医用画像ファイルを記憶する。尚、ＰＡＣＳ１５は、医用画像ファイルに付帯されたレポート情報、或いは複数の医用画像ファイルに関する検査に対するレポート情報を記憶してもよい。
【００３２】
ＤＷＨ１６は、例えば、医療・介護などの関係機関で発生した情報、いわゆる診療ビッグデータを一括して蓄積するデータベースシステムである。ＤＷＨ１６は、例えば、一般的なサーバ装置により実現される。ＤＷＨ１６は、例えば、処理回路、メモリおよび通信インタフェースを有する。処理回路、メモリおよび通信インタフェースは、例えば、バスを介して互いに通信可能に接続されている。
【００３３】
図２は、図１の医用情報表示装置の構成例を示す図である。図２に示すように、医用情報表示装置１１は、処理回路２１、入力インタフェース２２、ディスプレイ２３、メモリ２４および通信インタフェース２５を含む。処理回路２１、入力インタフェース２２、ディスプレイ２３、メモリ２４および通信インタフェース２５は、例えば、バスを介して互いに通信可能に接続されている。
【００３４】
処理回路２１は、ハードウェア資源として、図示していないプロセッサ、ＲＯＭ（Ｒｅａｄ−Ｏｎｌｙ  Ｍｅｍｏｒｙ）およびＲＡＭなどのメモリを有し、医用情報表示装置１１を制御する。処理回路２１は、操作受付機能２１ａ、表示状態取得機能２１ｂ、連動位置決定機能２１ｃ、表示制御機能２１ｄおよびシステム制御機能２１ｅを有する。操作受付機能２１ａ、表示状態取得機能２１ｂ、連動位置決定機能２１ｃ、表示制御機能２１ｄおよびシステム制御機能２１ｅにて行われる各種機能は、コンピュータによって実行可能なプログラムの形態でメモリへ記憶されている。処理回路２１は、これら各種機能に対応するプログラムをメモリから読み出し、実行することで各プログラムに対応する機能を実現するプロセッサである。換言すると、各プログラムを読み出した状態の処理回路２１は、図２の処理回路２１に示された複数の機能などを有することになる。
【００３５】
なお、図２において、単一の処理回路２１にて前述の各種機能が実現するものとして説明したが、複数の独立したプロセッサがプログラムを実行することにより各種機能を実現するものとして構わない。換言すると、前述の各種機能がプログラムとして構成され、一つの処理回路が各プログラムを実行する場合であってもよいし、特定の機能が専用の独立したプログラム実行回路に実装される場合であってもよい。
【００３６】
前述の「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、およびフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））などの回路を意味する。
【００３７】
処理回路２１におけるプロセッサは、メモリ２４に保存されたプログラムを読み出し実行することで各種機能を実現する。なお、メモリ２４にプログラムを保存する代わりに、プロセッサの回路内にプログラムを直接組み込むよう構成しても構わない。この場合、プロセッサは回路内に組み込まれたプログラムを読み出し実行することで機能を実現する。また、処理回路２１が有する操作受付機能２１ａ、表示状態取得機能２１ｂ、連動位置決定機能２１ｃ、表示制御機能２１ｄおよびシステム制御機能２１ｅは、それぞれ受付部、取得部、決定部、表示制御部およびシステム制御部の一例である。
【００３８】
処理回路２１は、操作受付機能２１ａにより、統合ビューアに表示されている診療画面において、入力インタフェース２２を介した操作者の操作を受け付ける。診療画面は、例えば、タイムラインを表す領域（以降、タイムライン領域と呼ぶ）および診療情報を表す領域（以降、診療情報領域と呼ぶ）を含む。
【００３９】
タイムライン領域は、例えば、特定患者についての複数の診療情報が日時順に時系列に表示される領域である。診療情報として、例えば、電子カルテの検査履歴情報に対応する「検体検査」、電子カルテの画像情報に対応する「画像検査」、「カルテ記載」および「看護記録」などの情報がある。また、タイムライン領域には、特定患者の入退院日時および手術日時などの情報を示す「イベント」の情報を表示してもよい。上記の個別の診療情報は、例えば、それぞれ個別のアイコンの形態でタイムライン領域に配置される。
【００４０】
診療情報領域は、例えば、個別の診療情報を表示可能な一つ以上の領域を有する。具体的には、診療情報領域には、例えば、画像検査における画像情報、バイタルサイン情報、検体検査の情報、およびカルテ記載と看護記録とを含む診療記録の情報などを一つ以上表示させることができる。例えば、矩形の診療情報領域において、左半分の領域に画像検査における画像情報を表示させ、右半分の上部の領域にバイタルサイン情報を表示させ、右半分の下部の領域に診療記録の情報を表示させることができる。
【００４１】
換言すると、診療画面は、タイムライン上の診療情報（例えば、第１の医用情報）を第１の期間に亘って表示するタイムライン領域（例えば、第１の領域）と診療情報（例えば、第２の医用情報）を第２の期間に亘って表示する診療情報領域（例えば、第２の領域）とを含む。
【００４２】
或いは、診療画面は、第１の時間軸における第１の期間に亘る第１の医用情報と、第２の時間軸における第２の期間に亘る第２の医用情報とが表示される。時間軸は、例えば、ディスプレイの左右方向または上下方向に時系列で配列されることを示す。期間は、例えば、時間軸に沿って配列されるデータのうち、ディスプレイに実際に表示されるデータの期間を示す。
【００４３】
なお、第１の期間は、第２の期間よりも長くてもよく、第２の期間を内包してもよい。または、第２の期間は第１の期間よりも長くてもよく、第１の期間を内包してもよい。
【００４４】
図３は、図２のディスプレイに表示される診療画面の構成例を示す図である。図３に示すように、診療画面３０は、タイムライン領域３１と、画像検査の画像を表示する画像情報領域３２、バイタルサイン情報を表示するバイタルサイン情報領域３３および診療記録の情報を表示する診療記録情報領域３４に分割された診療情報領域とを含む。
【００４５】
タイムライン領域３１は、複数の診療情報などにそれぞれ対応する複数のアイコンを「２０１７年４月１３日」の「０４：００」から「２１：００」までの期間に亘って時系列に表示する情報表示領域３１ａを含む。
【００４６】
情報表示領域３１ａには、操作者によって指定された日時（指定日時「２０１７年４月１３日１２：００」）の位置を示す指示子３１ｂが含まれる。操作者は、例えば、マウスなどを介してマウスポインタＭＰを移動させ、情報表示領域３１ａの任意の位置をクリックすることによって指示子３１ｂを表示させ、日時を指定する。または、操作者は、情報表示領域３１ａに表示された任意のアイコンを選択することによって指示子３１ｂを表示させ、日時を指定してもよい。操作者によって任意のアイコンが選択された場合、指定日時は、任意のアイコンに対応する診療情報に紐付けられた日時となる。尚、日時の指定は、ダイアログボックスに日時を入力することによって実現されてもよい。情報表示領域３１ａの時間軸は、左右方向である。
【００４７】
また、操作者は、複数の日時を指定してもよい。複数の日時が指定された場合、情報表示領域３１ａには、複数の指示子が表示されることとなる。これら複数の指示子は、それぞれ異なる態様にしてもよく、例えば、線種または色を変更してもよい。
【００４８】
また、操作者は、日時を指定する他に、日付および年月などを指定してもよい。これら日時、日付および年月などは、時間情報と呼ばれてもよい。さらに、時間情報は、日時の範囲の情報でもよい。例えば、時間情報は、２つのデータにそれぞれ対応付けられた２つの日付の範囲の情報でもよいし、データとは関係無く指定された２つの日付の範囲の情報でもよい。
【００４９】
画像情報領域３２は、特定患者についての検査画像のサムネイルを時系列の順番（例えば、画面の上に位置する画像ほど日時が新しい画像となる順番）となるように、ある期間に亘って表示する情報表示領域３２ａを含む。即ち、情報表示領域３２ａの時間軸は、上下方向である。情報表示領域３２ａには、指定日時に対応する位置を示す指示子３２ｂが含まれる。以降では、「検査画像のサムネイル」を単に「サムネイル」と称する。尚、情報表示領域３２ａにおける指定日時に対応する位置は、例えば、指定日時に最も近い日時が付帯されたサムネイルの上部または下部に相当する。また、この位置は、サムネイル上であってもよい。
【００５０】
バイタルサイン情報領域３３は、特定患者についてのバイタルサイン情報を「２０１７年４月９日から２０１７年４月１９日まで」の期間に亘って表示する情報表示領域３３ａを含む。情報表示領域３３ａには、指定日時に対応する位置を示す指示子３３ｂが含まれる。情報表示領域３３ａの時間軸は、左右方向である。
【００５１】
診療記録情報領域３４は、特定患者についての医師および看護師のコメントを例えば時系列の順番（例えば、画面の上に位置するコメントほど日時が新しいコメントとなる順番）となるように、ある期間に亘って表示する情報表示領域３４ａを含む。即ち、情報表示領域３４ａの時間軸は、上下方向である。情報表示領域３４ａには、指定日時に対応する位置を示す指示子３４ｂが含まれる。尚、診療記録情報領域における指定日時に対応する位置は、例えば、指定日時に最も近い日時に対応付けられたコメントの上部または下部に相当する。また、この位置は、コメント上であってもよい。
【００５２】
概括すると、一実施形態では、診療画面３０において、はじめに指示子３１ｂが設定されたことを契機として、指示子３２ｂ、指示子３３ｂおよび指示子３４ｂが自動的に設定（或いは、表示）される。
【００５３】
なお、前述の説明では、情報表示領域３１ａにおいて日時を指定するものとしたが、これに限らず、情報表示領域３２ａ、情報表示領域３３ａおよび情報表示領域３４ａのいずれの領域においても日時を指定することができる。例えば、一実施形態では、診療画面３０において、最初に指示子３３ｂが設定されたことを契機として、指示子３１ｂ、指示子３２ｂおよび指示子３４ｂが自動的に設定されてもよい。
【００５４】
処理回路２１は、表示状態取得機能２１ｂにより、統合ビューアに表示されている診療画面に関する種々の情報を取得する。例えば、処理回路２１は、表示中の第１の医用情報について、第１の期間内の指定された時点または範囲の時間情報を取得する。具体的には、処理回路２１は、表示状態取得機能２１ｂにより、タイムライン領域に表示されている診療情報の期間、診療情報領域の一つ以上の領域に表示されている診療情報の期間および操作者が選択した領域（例えば、第１の領域）において指定された日時などを取得する。
【００５５】
また、処理回路２１は、表示状態取得機能２１ｂにより、指定日時の選択を解除する操作指示（第１の指示）を取得してもよい。
【００５６】
処理回路２１は、連動位置決定機能２１ｃにより、診療画面の任意の領域（例えば、第１の領域）において指定された日時を、当該任意の領域とは異なる別の領域（例えば、第２の領域）についての連動した位置を決定する。例えば、処理回路２１は、取得した時間情報に対応する第２の時間軸上の位置を決定する。具体的には、処理回路２１は、連動位置決定機能２１ｃにより、第１の領域において指定された日時と当該第１の領域とは異なる第２の領域に表示されている診療情報の期間（例えば、第２の期間）とに基づいて、当該第２の領域における当該指定された日時に関する位置を決定する。
【００５７】
より具体的には、処理回路２１は、連動位置決定機能２１ｃにより、指定された日時が第２の期間に含まれている否かに基づいて、指定された日時に関する位置を決定する。指定された日時が第２の期間に含まれている場合、処理回路２１は、指定された日時に対応する位置を決定する。指定された日時が第２の期間に含まれていない場合、処理回路２１は、第２の期間のうちの指定された日時に最も近い日時に対応する位置を決定する。
【００５８】
処理回路２１は、表示制御機能２１ｄにより、診療画面をディスプレイ２３に表示させる。診療画面は、第１の時間軸における第１の期間に亘る第１の医用情報と、第２の時間軸における第２の期間に亘る第２の医用情報とを含む。或いは、診療画面は、少なくとも第１の医用情報を第１の期間に亘って表示する第１の領域と第２の医用情報を第２の期間に亘って表示する第２の領域とを含む。更に、処理回路２１は、表示制御機能２１ｄにより、決定された位置を示す指示子を第２の医用情報を表示している第２の領域に表示する。尚、決定された位置の情報は、第２の医用情報に含まれてもよいし、第２の領域に指示子として含まれてもよい。即ち、診療画面のいずれかの領域内において、決定された位置が視認可能に示されればよい。
【００５９】
また、処理回路２１は、表示制御機能２１ｄにより、決定された位置を示す指示子を含むナビゲーション領域を有する第２の医用情報を第２の領域に表示してもよい。処理回路２１は、表示制御機能２１ｄにより、指定された時間情報に対応する医用情報をプレビューとして第２の領域に表示してもよい。或いは、処理回路２１は、表示制御機能２１ｄにより、第２の期間にふくまれない指定された時間情報に関する情報を含んだプレビュー領域を有する第２の医用情報を第２の領域に表示してもよい。
【００６０】
また、処理回路２１は、表示制御機能２１ｄにより、決定された位置が表示領域の中心に位置するように位置合わせした第１の領域および第２の領域をディスプレイ２３に表示させてもよい。換言すると、処理回路２１は、指定された時間情報に対応する、第１の時間軸上の位置および第２の時間軸上の位置を、第１の領域の中心および第２の領域の中心と一致するようにそれぞれ位置合わせして表示してもよい。
【００６１】
また、処理回路２１は、表示制御機能２１ｄにより、位置合わせ前の第１の領域および第２の領域のそれぞれの表示状態と、位置合わせ後の第１の領域および第２の領域のそれぞれの表示状態とを切り替え可能にディスプレイ２３に表示させてもよい。
【００６２】
また、処理回路２１は、表示制御機能２１ｄにより、選択解除指示に従って、決定された位置を除いた第２の領域をディスプレイに２３に表示させてもよい。換言すると、処理回路２１は、選択解除指示に従って、第２の領域から決定された位置を示す指示子を除いて表示してもよい。
【００６３】
処理回路２１は、システム制御機能２１ｅにより、医用情報表示装置１１の入出力および通信などの基本動作を制御する。処理回路２１は、システム制御機能２１ｅが実行されると、入力インタフェース２２を介して各種要求を受け付ける。処理回路２１は、受け付けた各種要求に応じて、各種機能を実行する。
【００６４】
操作受付機能２１ａ、表示状態取得機能２１ｂ、連動位置決定機能２１ｃ、表示制御機能２１ｄおよびシステム制御機能２１ｅは、制御プログラムとして処理回路２１に組み込まれてもよく、処理回路２１自体に上記各機能を実行可能な専用のハードウェア回路が組み込まれてもよい。
【００６５】
入力インタフェース２２は、例えば、マウス、キーボード、および操作面へ触れることで指示が入力されるタッチパネルなどにより実現される。入力インタフェース２２は、例えば、操作者からの操作を受け付ける。操作者の操作は、例えば、マウスポインタの移動操作、クリック操作およびドラッグアンドドロップ操作などに相当する。また、入力インタフェース２２は、操作者からの操作を電気信号へ変換し、当該電気信号を処理回路２１へ出力する。
【００６６】
ディスプレイ２３は、操作者が各種業務を遂行するための種々の情報を表示する。ディスプレイ２３には、例えば、処理回路２１の制御によって診療画面が表示される。ディスプレイ２３として、例えば、ＣＲＴディスプレイ、液晶ディスプレイ、有機ＥＬディスプレイ、ＬＥＤディスプレイ、プラズマディスプレイ、および当技術分野で知られている他の任意のディスプレイが適宜利用可能である。
【００６７】
メモリ２４は、種々の情報を記憶する。メモリ２４として、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）および集積回路記憶装置などが適宜利用可能である。また、メモリ２４は、ＣＤ−ＲＯＭドライブ、ＤＶＤドライブおよびフラッシュメモリなどの可搬性記憶媒体との間で種々の情報を読み書きする駆動装置などであってもよい。
【００６８】
通信インタフェース２５は、病院内ネットワークを介して接続されたＨＩＳ１２、ＲＩＳ１３、医用画像診断装置１４、ＰＡＣＳ１５およびＤＷＨ１６との間でデータ通信を行う。ＨＩＳ１２、ＲＩＳ１３、医用画像診断装置１４、ＰＡＣＳ１５およびＤＷＨ１６との通信の規格は、如何なる規格であっても良いが、例えば、ＨＬ７、ＤＩＣＯＭ、又はその両方等が挙げられる。
【００６９】
図４は、図２の処理回路にて実行される処理を例示するフローチャートである。図４の処理は、例えば、操作者などにより統合ビューアが実行されたことを契機として、処理回路２１が指定日時の連動表示に関するプログラムを実行することにより開始される。
【００７０】
以降、図３の診療画面３０を参照し、第１の領域をタイムライン領域とし、第２の領域をバイタル情報領域として説明を行うが、これに限らない。例えば、第１の領域をバイタル情報領域とし、第２の領域をタイムライン領域としてもよい。また、第１の領域および第２の領域共に同じ情報を表示してもよい。即ち、第１の領域で指定された日時が、第２の領域における当該日時に関する位置に連動して表示されればよい。
【００７１】
（ステップＳＴ４１）  
処理回路２１は、操作受付機能２１ａにより、第１の領域において日時を指定する操作者の操作を受け付ける。この操作は、例えば、操作者がマウスポインタＭＰによって日時を指定することにより指示子３１ｂを表示させる操作に対応する。
【００７２】
（ステップＳＴ４２）  
処理回路２１は、表示状態取得機能２１ｂにより、第１の領域において指定された日時を取得する。第１の領域は、例えば、情報表示領域３１ａである。指定された日時は、例えば、指示子３１ｂの位置に対応する日時「２０１７年４月１３日１２：００」である。換言すれば、処理回路２１は、情報表示領域３１ａにおいて指定日時「２０１７年４月１３日１２：００」を取得する。
【００７３】
（ステップＳＴ４３）  
処理回路２１は、表示状態取得機能２１ｂにより、第１の領域とは異なる第２の領域における診療情報の表示期間を取得する。第２の領域は、例えば、バイタルサイン情報領域３３における情報表示領域３３ａである。第２の領域の表示期間は、例えば、情報表示領域３３ａの表示期間「２０１７年４月９日から２０１７年４月１９日まで」に相当する。換言すれば、処理回路２１は、情報表示領域３３ａにおける表示期間「２０１７年４月９日から２０１７年４月１９日まで」を取得する。
【００７４】
（ステップＳＴ４４）  
処理回路２１は、連動位置決定機能２１ｃにより、指定された日時が第２の領域の表示期間に含まれているか否かを判定する。指定された日時が第２の領域の表示期間に含まれている場合（ステップＳＴ４４：ＹＥＳ）、処理はステップＳＴ４５へと進み、そうでない場合（ステップＳＴ４４：ＮＯ）、処理はステップＳＴ４６へと進む。
【００７５】
診療画面３０によれば、指定された日時「２０１７年４月１３日１２：００」が第２の領域の表示期間「２０１７年４月９日から２０１７年４月１９日まで」に含まれているため、処理はステップＳＴ４５へと進む。
【００７６】
図５は、図３のバイタルサイン情報領域の別の表示例を示す図である。図５に示すように、バイタルサイン情報領域５１は、特定患者についてのバイタルサイン情報を「２０１７年４月１６日から２０１７年４月２６日まで」の期間に亘って表示する情報表示領域５１ａを含む。情報表示領域５１ａには、指定日時（例えば、「２０１７年４月１３日１２：００」）に最も近い日時（「２０１７年４月１５日１２：００」）に対応する位置を示す指示子５１ｂが含まれる。
【００７７】
仮に、診療画面３０におけるバイタルサイン情報領域３３がバイタルサイン情報領域５１である場合、処理回路２１は、ステップＳＴ４３において、情報表示領域５１ａにおける表示期間「２０１７年４月１６日から２０１７年４月２６日まで」を取得することとなる。即ち、バイタルサイン情報領域５１が表示された診療画面３０によれば、指定された日時「２０１７年４月１３日１２：００」が第２の領域の表示期間「２０１７年４月１６日から２０１７年４月２６日まで」に含まれていないため、処理はステップＳＴ４６へと進む。
【００７８】
（ステップＳＴ４５）  
処理回路２１は、連動位置決定機能２１ｃにより、第２の領域における指定された日時に対応する位置を決定する。指定された日時に対応する位置は、例えば、指示子３３ｂの位置に相当する。ステップＳＴ４５の後、処理はステップＳＴ４７へと進む。
【００７９】
（ステップＳＴ４６）  
処理回路２１は、連動位置決定機能２１ｃにより、第２の領域における指定された日時に最も近い日時に対応する位置を決定する。指定された日時に最も近い日時に対応する位置は、例えば、指示子５１ｂの位置に相当する。ステップＳＴ４６の後、処理はステップＳＴ４７へと進む。
【００８０】
（ステップＳＴ４７）  
処理回路２１は、表示制御機能２１ｄにより、決定された位置と第２の医用情報とを第２の領域に表示する。具体的には、処理回路２１は、バイタルサイン情報領域３３上に指示子３３ｂを表示する、またはバイタルサイン情報領域５１上に指示子５１ｂを表示する。ステップＳＴ４７の後、処理は終了する。
【００８１】
図６は、一実施形態における検体検査情報領域の表示例を示す図である。図６において、検体検査の情報を表示する検体検査情報領域６１が示される。検体検査情報領域６１は、特定患者についての検体検査の情報を時系列の順番（例えば、画面の右に位置する検査結果ほど日時が新しい検査結果となる順番）となるように、ある期間に亘って表示する情報表示領域６１ａを含む。検体検査情報領域６１におけるある期間とは、例えば、表示されている最も古い検査結果の日時から表示されている最も新しい検査結果の日時までに相当する。
【００８２】
情報表示領域６１ａには、例えば、指定日時「２０１７年４月１０日１２：００」に対応する位置を示す指示子６１ｂが含まれる。指示子６１ｂは、例えば、「２０１７年４月７日１８：００」の検査結果と「２０１７年４月１２日２０：１３」の検査結果との間に表示されている。
【００８３】
図７は、一実施形態における検体検査情報領域の別の表示例を示す図である。図７に示すように、検体検査情報領域７１は、情報表示領域７１ａを含む。情報表示領域７１ａには、例えば、指定日時「２０１７年４月２９日１２：００」に最も近い日時の位置を示す指示子７１ｂが含まれる。指示子７１ｂは、例えば、指定日時「２０１７年４月２９日１２：００」に最も近い日時である「２０１７年４月２１日１９：５４」の検査結果の右側に表示されている。
【００８４】
図８は、一実施形態において、ナビゲーション領域を含むバイタルサイン情報領域の表示例を示す図である。図８に示すように、バイタルサイン情報領域８１は、情報表示領域８１ａおよびナビゲーション領域８２ａを含む。
【００８５】
情報表示領域８１ａには、特定患者についてのバイタルサイン情報が「２０１７年４月９日から２０１７年４月１９日まで」の期間に亘って表示されている。情報表示領域８１ａには、指定日時に対応する位置を示す指示子８１ｂが含まれる。
【００８６】
ナビゲーション領域８２ａは、情報表示領域８１ａに表示されている期間に対応する部分ナビゲーション領域８２ｂを含む。部分ナビゲーション領域８２ｂは、情報表示領域８１ａの表示範囲と指示子８１ｂの位置との相対的な位置関係に基づく指示子８２ｃを含む。具体的には、情報表示領域８１ａの表示範囲と指示子８１ｂの位置との相対的な位置関係は、部分ナビゲーション領域８２ｂの長さと指示子８２ｃの位置との相対的な位置関係に対応している。
【００８７】
図９は、一実施形態におけるナビゲーション領域の構成例を示す図である。図９に示すように、ナビゲーション領域９２ａの第１の範囲９３ａは、データの存在期間を示す。データの存在期間は、例えば、最初に登録されたデータの日時から最後に登録されたデータの日時までの期間である。または、データの存在期間は、例えば、最後に登録されたデータの日時から所定の期間（例えば、１０年間）を遡った期間でもよい。
【００８８】
部分ナビゲーション領域９２ｂの第２の範囲９３ｂは、データの存在期間に対するデータが表示されている期間を示す。データが表示されている期間は、例えば、図８の情報表示領域８１ａの表示範囲の期間に相当する。尚、部分ナビゲーション領域９２ｂは、第２の範囲９３ｂの画面を遷移させるスクロール機能を有してもよい。
【００８９】
換言すれば、ナビゲーション領域は、情報表示領域に表示されている期間を少なくとも含む期間に対応する。また、部分ナビゲーション領域は、ナビゲーション領域内に配置され、情報表示領域に表示されている期間に対応する。
【００９０】
指示子９２ｃは、情報表示領域において指定（或いは、決定）された日時がナビゲーション領域９２ａのどこに位置しているかを示す。例えば、指示子９２ｃが部分ナビゲーション領域９２ｂに表示されている場合、情報表示領域に表示されている指示子は、情報表示領域に表示されている期間に含まれる日時を有していることとなる。
【００９１】
例えば、ナビゲーション領域９２ａに対して部分ナビゲーション領域９２ｂの占める割合が大きいほど、情報表示領域に表示されるデータが多くなる。また、ナビゲーション領域９２ａに対して部分ナビゲーション領域９２ｂの占める割合が小さいほど、情報表示領域に表示されるデータが少なくなる。
【００９２】
なお、ナビゲーション領域９２ａと部分ナビゲーション領域９２ｂとの関係は、存在するデータの個数によって決定されてもよい。例えば、全データ１００のうち、情報表示領域に２０のデータが表示されている場合、部分ナビゲーション領域９２ｂは、ナビゲーション領域９２ａの２０％を占めるように表示される。よって、データの表示のされ方によって、データの存在期間は、データの個数に適宜読み替えられてもよい。
【００９３】
図１０は、一実施形態において、ナビゲーション領域を含むバイタルサイン情報領域の別の表示例を示す図である。図１０に示すように、バイタルサイン情報領域１０１は、情報表示領域１０１ａおよびナビゲーション領域１０２ａを含む。情報表示領域１０１ａは、特定患者についてのバイタルサイン情報が「２０１７年４月９日から２０１７年４月１９日まで」の期間に亘って表示されている。
【００９４】
情報表示領域１０１ａには、指定日時に最も近い日時に対応する位置を示す指示子１０１ｂが含まれる。ナビゲーション領域１０２ａは、情報表示領域１０１ａに表示されている期間に対応する部分ナビゲーション領域１０２ｂを含む。また、ナビゲーション領域１０２ａは、データの存在期間と指定日時との相対的な位置関係に基づく指示子１０２ｃを含む。具体的には、データの存在期間と指定日時との相対的な位置関係は、ナビゲーション領域１０２ａと指示子１０２ｃとの相対的な位置関係に対応している。
【００９５】
図１１は、一実施形態における情報領域とナビゲーション領域との関係を例示する図である。図１１に示すように、データ領域１１１ａは、情報表示領域１０１ａを含む。データ領域１１１ａにおける情報表示領域１０１ａ以外の領域は、データが存在しているものの、表示されていない領域である。即ち、データ領域１１１ａと情報表示領域１０１ａとの相対的な位置関係は、ナビゲーション領域１０２ａと部分ナビゲーション領域１０２ｂとの相対的な位置関係に対応している。
【００９６】
指示子１０２ｃは、データ領域１１１ａにおける指示子１１１ｂの位置に対応する。しかし、指示子１１１ｂの位置は、情報表示領域１０１ａに含まれていないため、従来であれば表示されることがない。しかし、一実施形態では、指示子１１１ｂの位置から最も近い情報表示領域１０１ａにおける位置に指示子１０１ｂを表示することにより、操作者に対して表示領域外を示していることを提示することができる。
【００９７】
図１２は、一実施形態において、ナビゲーション領域を含む診療記録情報領域の表示例を示す図である。図１２に示すように、診療記録情報領域１２１は、情報表示領域１２１ａおよびナビゲーション領域１２２ａを含む。
【００９８】
情報表示領域１２１ａには、特定患者についての医師および看護師のコメントがある期間に亘って表示されている。具体的には、情報表示領域１２１ａには、表示されている最も古いコメントの日時「２０１７年４月８日１５：１９」から、表示されている最も新しいコメントの日時「２０１７年４月１３日１２：４４」までの期間に亘って、医師および看護師のコメントが５つ表示されている。情報表示領域１２１ａには、指定日時に対応する位置を示す指示子１２１ｂが含まれる。
【００９９】
ナビゲーション領域１２２ａは、情報表示領域１２１ａに表示されている期間に対応する部分ナビゲーション領域１２２ｂを含む。部分ナビゲーション領域１２２ｂは、情報表示領域１２１ａの表示範囲と指示子１２１ｂの位置との相対的な位置関係に基づく指示子１２２ｃを含む。具体的には、情報表示領域１２１ａの表示範囲と指示子１２１ｂの位置との相対的な位置関係は、部分ナビゲーション領域１２２ｂの長さと指示子１２２ｃの位置との相対的な位置関係に対応している。
【０１００】
図１３は、一実施形態において、ナビゲーション領域を含む診療記録情報領域の別の表示例を示す図である。図１３に示すように、診療記録情報領域１３１は、情報表示領域１３１ａおよびナビゲーション領域１３２ａを含む。
【０１０１】
情報表示領域１３１ａには、特定患者についての医師および看護師のコメントがある期間に亘って表示されている。情報表示領域１３１ａに表示されているコメントは、情報表示領域１３０ａと同様であるため説明を省略する。情報表示領域１３１ａには、指定日時に最も近い日時に対応する位置を示す指示子１３１ｂが含まれる。
【０１０２】
ナビゲーション領域１３２ａは、情報表示領域１３１ａに表示されている期間に対応する部分ナビゲーション領域１３２ｂを含む。また、ナビゲーション領域１３２ａは、データの存在範囲と指定日時との相対的な位置関係に基づく指示子１３２ｃを含む。具体的には、データの存在範囲と指定日時との相対的な位置関係は、ナビゲーション領域１３２ａと指示子１３２ｃとの相対的な位置関係に対応している。尚、データの存在範囲は、例えば、全てのコメントがデータの存在期間に亘って表示されていると仮定する範囲である。
【０１０３】
図１４は、一実施形態において、ナビゲーション領域を含む画像情報領域の表示例を示す図である。図１４に示すように、画像情報領域１４１は、情報表示領域１４１ａおよびナビゲーション領域１４２ａを含む。
【０１０４】
情報表示領域１４１ａには、特定患者についてのサムネイルが時系列の順番となるように、ある期間に亘って表示されている。具体的には、情報表示領域１４１ａには、表示されている最も古いサムネイル付帯された日時から、表示されている最も新しいサムネイルに付帯された日時までの期間に亘って、サムネイルが５枚表示されている。情報表示領域１４１ａには、指定日時に対応する位置を示す指示子１４１ｂが含まれる。
【０１０５】
ナビゲーション領域１４２ａは、情報表示領域１４１ａに表示されている期間に対応する部分ナビゲーション領域１４２ｂを含む。部分ナビゲーション領域１４２ｂは、情報表示領域１４１ａの表示範囲と指示子１４１ｂの位置との相対的な位置関係に基づく指示子１４２ｃを含む。具体的には、情報表示領域１４１ａの表示範囲と指示子１４１ｂの位置との相対的な位置関係は、部分ナビゲーション領域１４２ｂの長さと指示子１４２ｃの位置との相対的な位置関係に対応している。
【０１０６】
図１５は、一実施形態において、ナビゲーション領域を含む画像情報領域の別の表示例を示す図である。図１５に示すように、画像情報領域１５１は、情報表示領域１５１ａおよびナビゲーション領域１５２ａを含む。
【０１０７】
情報表示領域１５１ａには、特定患者についてのサムネイルが時系列の順番となるように、ある期間に亘って表示されている。情報表示領域１５１ａに表示さているサムネイルは、情報表示領域１４１ａと同様であるため説明を省略する。情報表示領域１５１ａには、指定日時に最も近い日時に対応する位置を示す指示子１５１ｂが含まれる。
【０１０８】
ナビゲーション領域１５２ａは、情報表示領域１５１ａに表示されている期間に対応する部分ナビゲーション領域１５２ｂを含む。また、ナビゲーション領域１５２ａは、データの存在範囲と指定日時との相対的な位置関係に基づく指示子１５２ｃを含む。具体的には、データの存在範囲と指定日時との相対的な位置関係は、ナビゲーション領域１５２ａと指示子１５２ｃとの相対的な位置関係に対応している。尚、データの存在範囲は、例えば、全てのサムネイルがデータの存在期間に亘って表示されていると仮定する範囲である。
【０１０９】
図１６は、一実施形態において、プレビュー領域を含むバイタルサイン情報領域の表示例を示す図である。図１６に示すように、バイタルサイン情報領域１６１は、情報表示領域に表示されていないバイタルサイン情報のデータを表示するプレビュー領域１６３ａを含む。プレビュー領域１６３ａは、指定日時に関するバイタルサイン情報を、指定日時に対応する位置を示す指示子１６３ｂと共に表示する。尚、プレビュー領域１６３ａは、例えば、情報表示領域に表示されているデータに対応する日時が指定日時に最も近い位置に表示される。
【０１１０】
図１７は、一実施形態において、プレビュー領域を含む検体検査情報領域の表示例を示す図である。図１７に示すように、検体検査情報領域１７１は、情報表示領域に表示されていない検体検査のデータを表示するプレビュー領域１７３ａを含む。プレビュー領域１７３ａは、指定日時に関する検体検査情報を、指定日時に対応する位置を示す指示子１７３ｂと共に表示する。尚、プレビュー領域１７３ａは、例えば、情報表示領域に表示されているデータに対応する日時が指定日時に最も近い位置に表示される。
【０１１１】
図１８は、一実施形態において、プレビュー領域を含む診療記録情報領域の表示例を示す図である。図１８に示すように、診療記録情報領域１８１は、情報表示領域に表示されていないコメントを表示するプレビュー領域１８３ａを含む。プレビュー領域１８３ａは、指定日時に関する医師または看護師のコメントを、指定日時に対応する位置を示す指示子１８３ｂと共に表示する。尚、プレビュー領域１８３ａは、例えば、情報表示領域に表示されているコメントに対応する日時が指定日時に最も近い位置に表示される。
【０１１２】
図１９は、一実施形態において、プレビュー領域を含む画像情報領域の表示例を示す図である。図１９に示すように、画像情報領域１９１は、情報表示領域に表示されていないサムネイルを表示するプレビュー領域１９３ａを含む。プレビュー領域１９３ａは、指定日時に関するサムネイルを、指定日時に対応する位置を示す指示子１９３ｂと共に表示する。尚、プレビュー領域１９３ａは、例えば、情報表示領域に表示されているサムネイルに付帯された日時が指定日時に最も近い位置に表示される。
【０１１３】
換言すれば、プレビュー領域は、情報表示領域内に配置され、情報表示領域に表示されている期間に含まれない指定された日時に関する情報を表示する。プレビュー領域が表示されることによって、操作者は、情報表示領域外に存在する指定日時に関する情報を容易に確認することができる。
【０１１４】
図２０は、図２のディスプレイに表示される診療画面の別の構成例を示す図である。図２０に示すように、診療画面２００は、タイムライン領域２０１と、画像情報領域２０２、バイタルサイン情報領域２０３および診療記録情報領域２０４に分割された診療情報領域とを含む。
【０１１５】
タイムライン領域２０１の情報表示領域には、操作者によって指定された日時の範囲（指定日時範囲「２０１７年４月１３日１１：００から２０１７年４月１３日１２：５９」）を示す指示子２０１ａが含まれる。
【０１１６】
画像情報領域２０２の情報表示領域には、指定日時範囲に対応する範囲を示す指示子２０２ａが含まれる。また、画像情報領域２０２のナビゲーション領域（或いは、部分ナビゲーション領域）には、指定日時範囲に対応する長さを示す指示子２０２ｂが含まれる。
【０１１７】
バイタルサイン情報領域２０３の情報表示領域には、指定日時範囲に対応する範囲を示す指示子２０３ａが含まれる。尚、バイタルサイン情報領域２０３の情報表示領域は、ナビゲーション領域を有してもよい。また、当該ナビゲーション領域は、指示子を有してもよい。
【０１１８】
診療記録情報領域２０４の情報表示領域には、指定日時範囲に対応する範囲を示す指示子２０４ａが含まれる。また、診療記録情報領域２０４のナビゲーション領域（或いは、部分ナビゲーション領域）には、指定日時範囲に対応する長さを示す指示子２０４ｂが含まれる。
【０１１９】
概括すると、一実施形態では、診療画面２００において、はじめに指示子２０１ａが設定されたことを契機として、指示子２０２ａ、指示子２０２ｂ、指示子２０３ａ、指示子２０４ａおよび指示子２０４ｂが自動的に設定（或いは、表示）される。
【０１２０】
なお、前述の説明では、タイムライン領域２０１の情報表示領域において日時範囲を指定するものとしたが、これに限らず、画像情報領域２０２の情報表示領域、バイタルサイン情報領域２０３の情報表示領域および診療記録情報領域２０４の情報表示領域のいずれの領域においても日時範囲を指定することができる。また、各情報領域に付随するナビゲーション領域において日時範囲を指定してもよい。
【０１２１】
図２１は、一実施形態における指示子の表示例を示す図である。図２１では、情報表示領域２１０ａにおいて、様々な種類の指示子が示されている。
【０１２２】
指示子２１１は、例えば、日時を指定していない状態の指示子を示す。具体的には、指示子２１１は、マウスポインタ位置に付随する破線のラインを示す。尚、図１から図１９までに示した指示子は、破線のラインの態様であるが、説明の便宜上、日時を指定した状態の指示子と見做す。
【０１２３】
指示子２１２は、例えば、日時を指定した状態の指示子を示す。指示子２１２は、実線ライン２１２ａとスライド部２１２ｂと解除部２１２ｃとを含む。実線ライン２１２ａは、例えば、マウスのクリック操作により、破線のライン（指示子２１１）から置き換えられる。スライド部２１２ｂは、例えば、マウスのドラッグアンドドロップ操作により、指示子２１１を移動させることができる操作部である。即ち、移動後の指示子２１１と移動前の指示子２１１とは、指定日時が異なる。解除部２１２ｃは、例えば、マウスのクリック操作により、日時を指定していない状態の指示子に戻るボタンである。
【０１２４】
指示子２１３は、例えば、日時の範囲を指定した状態の指示子を示す。指示子２１３は、日時範囲２１３ａとスライド部２１３ｂと解除部２１３ｃとを含む。日時範囲２１３ａは、例えば、マウスのドラッグアンドドロップ操作により、実線のライン（実線ライン２１２ａ）を基準としてマウスポインタの移動幅に応じた範囲が指定される。スライド部２１３ｂおよび解除部２１３ｃは、スライド部２１２ｂおよび解除部２１２ｃと同様である。
【０１２５】
なお、指示子の態様は、上記に限らない。また、実線ライン２１２ａおよび日時範囲２１３ａだけを指して単に指示子と呼んでもよい。
【０１２６】
図２２Ａ、図２２Ｂおよび図２２Ｃは、一実施形態における指示子の移動方法を例示する図である。操作者は、マウスポインタＭＰを移動させて日時指定を行う。このとき、指示子２２１は、マウスポインタＭＰに付随して移動する。そして、操作者は、日時指定を行いたい位置をクリック操作することにより日時指定を行う。操作者によって日時指定が行われたため、指示子２２１が実線ライン２２２ａに置き換えられて表示される。そして、操作者は、移動部２２２ｂをマウスポインタＭＰにより矢印ＡＲ１の方向へドラッグアンドドロップすることによって移動部２２２ｂ（指示子）を移動させることができる。
【０１２７】
図２３Ａおよび図２３Ｂは、一実施形態における指示子の範囲選択方法を例示する図である。日時を指定する操作は、図２２Ａと同様である。操作者は、実線ライン２３２ａをマウスポインタＭＰにより矢印ＡＲ２の方向へドラッグアンドドロップすることによって日時範囲を指定する。操作者によって日時範囲の指定が行われたため、実線ライン２３２ａが日時範囲２３３ａに置き換えられて表示される。
【０１２８】
図２４Ａおよび図２４Ｂは、一実施形態において、範囲選択された指示子の移動方法を例示する図である。日時範囲を指定する操作は、図２３Ｂと同様である。操作者は、移動部２４２ｂをマウスポインタＭＰにより矢印ＡＲ３の方向へドラッグアンドドロップすることによって日時範囲２４３ａ（指示子）を移動させることができる。
【０１２９】
図２５は、一実施形態において、コメント上に指示子が表示された診療記録情報領域の表示例を示す図である。図２５に示すように、診療記録情報領域２５１は、情報表示領域２５１ａおよびナビゲーション領域を含む。
【０１３０】
情報表示領域２５１ａには、特定患者についての医師および看護師のコメントがある期間に亘って表示されている。具体的には、情報表示領域２５１ａには、コメント２５３ａ、コメント２５３ｂおよびコメント２５３ｃを含む５つのコメントが表示されている。コメント２５３ｂには、指定日時に対応する位置を示す指示子２５１ｂが含まれる。
【０１３１】
図２６は、図２５の指示子を表示する位置を算出する方法を例示する図である。コメント２５３ａは、日時Ａ（例えば、「２０１７年４月１３日１２：４４」）が対応付けられ、コメント幅２６２ａに対応するピクセル数αを有する。コメント２５３ｂは、日時Ｂ（例えば、「２０１７年４月１３日０８：０７」）が対応付けられ、コメント幅２６２ｂに対応するピクセル数βを有する。コメント２５３ｃは、日時Ｃ（例えば、「２０１７年４月１２日１０：３７」）が対応付けられ、コメント幅２６２ｃに対応するピクセル数γを有する。
【０１３２】
コメント２５３ｂ上に指示子２５１ｂを表示する場合、例えば、指定日時は、日時Ａおよび日時Ｂの中間の日時ＡＢと、日時Ｂおよび日時Ｃの中間の日時ＢＣとの間に含まれる日時であるとする。コメント２５３ｂの下部から指示子２５１ｂを表示する位置までのピクセル幅２６１のピクセル数Ｘは、例えば、以下の数式（１）を用いて算出する。
【０１３３】
ピクセル数Ｘ＝ピクセル数β×｛（指定日時−日時ＢＣ）／（日時ＡＢ−日時ＢＣ）｝  ・・・  （１）
コメント上に指示子が表示されることによって、操作者は、指定日時が当該コメントを含めた前後のコメントのどちらに近いかを容易に把握することができる。尚、指定日時とコメントに対応付けられた日時が一致している場合、当該コメント上に色を変えた指示子が表示されてもよい。
【０１３４】
図２７は、図２のディスプレイに表示される診療画面の別の構成例を示す図である。図２７に示すように、診療画面２７０は、タイムライン領域の情報表示領域２７１ａと、画像検査領域の情報表示領域２７２ａと、バイタルサイン情報領域の情報表示領域２７３ａと、診療記録情報領域の情報表示領域２７４ａと、位置合わせボタン２７５とを含む。
【０１３５】
情報表示領域２７１ａには、操作者によって指定された日時（指定日時「２０１７年４月１６日」）の位置を示す指示子２７１ｂが含まれる。情報表示領域２７２ａには、指定日時に最も近い日時に対応する位置を示す指示子２７２ｂが含まれる。情報表示領域２７３ａには、指定日時に対応する位置を示す指示子２７３ｂが含まれる。情報表示領域２７４ａには、指定日時に最も近い日時に対応する位置を示す指示子２７４ｂが含まれる。
【０１３６】
指定日時が選択された状態の診療画面２７０において、位置合わせボタン２７５を選択することにより、各情報表示領域の中心に各指示子を位置させることができる。
【０１３７】
図２８は、図２７の診療画面において、位置合わせが実行された後の診療画面の構成例を示す図である。図２８に示すように、診療画面２８０は、タイムライン領域の情報表示領域２８１ａと、画像検査領域の情報表示領域２８２ａと、バイタルサイン情報領域の情報表示領域２８３ａと、診療記録情報領域の情報表示領域２８４ａと、戻るボタン２８５とを含む。
【０１３８】
位置合わせが実行されたことにより、情報表示領域２８１ａには、指示子２７１ｂに対応する指示子２８１ｂが表示領域の中心に表示されている。以降同様に、情報表示領域２８２ａには、指示子２７２ｂに関する指示子２８２ｂが表示領域の中心に表示されている。情報表示領域２８３ａには、指示子２７３ｂに対応する指示子２８３ｂが表示領域の中心に表示されている。情報表示領域２８４ａには、指示子２７４ｂに関する指示子２８４ｂが表示領域の中心に表示されている。
【０１３９】
位置合わせが実行された診療画面２８０において、戻るボタン２８５を選択することにより、位置合わせが実行される前の診療画面２７０に戻ることができる。よって、操作者は、位置合わせ前後の診療画面を切り替えて見ることができる。
【０１４０】
以上説明したように一実施形態によれば、第１の医用情報を第１の期間に亘って表示する第１の領域と第２の医用情報を第２の期間に亘って表示する第２の領域とをディスプレイに表示させる医用情報表示装置は、第１の領域において指定された時間情報を取得し、指定された時間情報と第２の期間とに基づいて、第２の領域における指定された時間情報に関する位置を決定し、決定された位置と第２の医用情報とを第２の領域に表示する。
【０１４１】
従って、医用情報表示装置は、第１の領域で指定された日時が、第２の領域における当該日時に関する位置に連動して表示させることができるため、複数の領域で表示される医用情報の関連性を分かりやすく表示することができる。また、この医用情報表示装置によれば、複雑な関係性の診療データにおいても、目的のデータを参照するまでにかかる時間を短縮することができ、複雑な関係性を見逃すリスクを減らすことができる。
【０１４２】
また、一実施形態によれば、医用情報表示装置は、指定された時間情報が第２の期間に含まれているか否かに基づいて位置を決定する。よって、医用情報表示装置は、指定された時間情報が第２の領域の表示範囲に含まれているか否かによって、時間情報の表示を変化させることができる。
【０１４３】
また、一実施形態によれば、医用情報表示装置は、指定された時間情報が第２の期間に含まれている場合、指定された時間情報に対応する位置を決定する。よって、医用情報表示装置は、第２の領域の表示範囲内において、指定された時間情報に対応する位置を決定することができる。
【０１４４】
また、一実施形態によれば、医用情報表示装置は、指定された時間情報が第２の期間に含まれていない場合、第２の期間のうちの指定された時間情報に最も近い時間情報に対応する位置を決定する。よって、医用情報表示装置は、指定された時間情報が、第２の領域の表示範囲外に存在していることを操作者に認知させることができる。
【０１４５】
また、一実施形態によれば、医用情報表示装置は、第２の期間を少なくとも含む期間に対応するナビゲーション領域と、当該ナビゲーション領域内に配置され、第２の期間に対応する部分ナビゲーション領域とを第２の領域に備え、決定された位置を示す指示子を含む当該ナビゲーション領域を第２の領域に表示する。よって、医用情報表示装置は、第２の領域の表示範囲外に存在するデータがどれくらいあるかを操作者に認知させることができる。
【０１４６】
また、一実施形態によれば、医用情報表示装置は、第２の医用情報を第２の期間に亘って表示する情報表示領域と、当該情報表示領域内に配置され、第２の期間に含まれない指定された時間情報に関する情報を表示するプレビュー領域とを第２の領域に備え、第２の期間に含まれない指定された時間情報に関する情報を含んだプレビュー領域を第２の領域に表示する。よって、医用情報表示装置は、第２の領域の表示範囲外に存在するデータを、第２の期間を変更させることなく操作者に認知させることができる。
【０１４７】
また、一実施形態によれば、医用情報表示装置は、位置合わせ前の第１の領域および第２の領域と、位置合わせ後の第１の領域および第２の領域とを切り替え可能にディスプレイに表示する。よって、医用情報表示装置は、位置合わせ前後の診療画面を切り替えて操作者に提示することができる。
【０１４８】
また例えば、一実施形態によれば、医用情報表示装置は、第１の時間軸における第１の期間に亘る第１の医用情報と、第２の時間軸における第２の期間に亘る第２の医用情報とを表示し、表示中の第１の医用情報について、第１の期間内の指定された時点または範囲の時間情報を取得し、時間情報に対応する第２の時間軸上の位置を決定し、決定された位置を示す指示子を第２の医用情報を表示している領域に表示する。
【０１４９】
また、一実施形態によれば、医用情報表示装置は、時間情報が第２の期間に含まれているか否かに基づき、第２の時間軸上の位置を決定する。時間情報が第２の期間に含まれている場合、医用情報表示装置は、時間情報に対応する、第２の期間内の位置を決定する。時間情報が第２の期間に含まれていない場合、医用情報表示装置は、時間情報に最も近い第２の期間内の時間情報に対応する、第２の期間内の位置を決定する。或いは、時間情報が第２の期間に含まれていない場合、医用情報表示装置は、時間情報に対応する医用情報をプレビューとして上記領域に表示する。
【０１５０】
また、一実施形態によれば、医用情報表示装置は、第１の医用情報を上記領域とは異なる他の領域に表示させる。
【０１５１】
上記領域は、例えば、第２の期間を少なくとも含む期間に対応するナビゲーション領域と、ナビゲーション領域内に配置され、第２の期間に対応する部分ナビゲーション領域とを備える。ここで、医用情報表示装置は、部分ナビゲーション領域の配置される位置にかかわらず、第２の時間軸上の位置を示す他の指示子を、表示中のナビゲーション領域に表示する。
【０１５２】
また、上記領域は、例えば、第２の医用情報および指示子を表示する情報表示領域を備える。ここで、医用情報表示装置は、時間情報が第２の期間に含まれていない場合、情報表示領域内に、時間情報に対応する医用情報を表示するプレビュー領域を配置して表示する。
【０１５３】
また、一実施形態によれば、医用情報表示装置は、時間情報に対応する、第１の時間軸上の位置および第２の時間軸上の位置を、上記他の領域の中心および上記領域の中心と一致するようにそれぞれ位置合わせして表示する。また、医用情報表示装置は、位置合わせ前の上記他の領域および上記領域のそれぞれの表示状態と、位置合わせ後の上記他の領域および上記領域のそれぞれの表示状態とを切り替え可能に表示する。
【０１５４】
また、一実施形態によれば、医用情報表示装置は、時間情報の取得を解除する解除指示を取得し、取得した解除指示に従って、前記領域から前記指示子を除いて表示する。
【０１５５】
従来の医用情報表示装置は、異なる表示形式の複数のパネルの情報を考慮して日付の選択をしなくてはならない場合（例えば、投薬と検体検査の特定の関係性に興味がある場合）に、いずれかのパネルでの表示切り替え処理を繰り返しながら目的の日時を探さなくてはいけないため、操作が煩雑となっていた。しかし、一実施形態に係る医用情報表示装置は、あるパネルにおいて日付を決定するだけで操作が済むため、従来よりも操作が容易となる。
【０１５６】
以上説明した少なくとも一つの実施形態によれば、複数の領域で表示される医用情報の関連性を分かりやすく表示することができる。
【０１５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５８】
１０…医療情報システム
３０，２００，２７０，２８０…診療画面
３１，２０１…タイムライン領域
３１ａ，３２ａ，３３ａ，３４ａ，５１ａ，６１ａ，７１ａ，８１ａ，１０１ａ，１２１ａ，１３０ａ，１３１ａ，１４１ａ，１５１ａ，２１０ａ，２５１ａ，２７１ａ、２７２ａ，２７３ａ，２７４ａ，２８１ａ，２８２ａ，２８３ａ，２８４ａ…情報表示領域
３１ｂ，３２ｂ，３３ｂ，３４ｂ，５１ｂ，６１ｂ，７１ｂ，８１ｂ，８２ｃ，９２ｃ，１０１ｂ，１０２ｃ，１１１ｂ，１２１ｂ，１２２ｃ，１３１ｂ，１３２ｃ，１４１ｂ，１４２ｃ，１５１ｂ，１５２ｃ，１６３ｂ，１７３ｂ，１８２ｃ，１８３ｂ，１９２ｃ，１９３ｂ，２０１ａ，２０２ａ，２０２ｂ，２０３ａ，２０４ａ，２０４ｂ，２１１，２１２，２１３，２２１，２５１ｂ，２７１ｂ，２７２ｂ，２７３ｂ，２７４ｂ，２８１ｂ，２８２ｂ、２８３ｂ、２８４ｂ…指示子
３２，１４１，１５１，１９１，２０２…画像情報領域
３３，５１，８１，１０１，１６１，２０３…バイタルサイン情報領域
３４，１２１，１３１，１８１，２０４，２５１…診療記録情報領域
６１，７１，１７１…検体検査情報領域
８２ａ，９２ａ，１０２ａ，１２２ａ，１３２ａ，１４２ａ，１５２ａ，１８２ａ，１９２ａ…ナビゲーション領域
８２ｂ，９２ｂ，１０２ｂ，１２２ｂ，１３２ｂ，１４２ｂ，１５２ｂ，１８２ｂ，１９２ｂ…部分ナビゲーション領域
９３ａ…第１の範囲
９３ｂ…第２の範囲
１１１ａ…データ領域
１６３ａ，１７３ａ，１８３ａ，１９３ａ…プレビュー領域
２１２ａ，２２２ａ，２３２ａ…実線ライン
２１２ｂ，２１３ｂ…スライド部
２１２ｃ…解除部
２１３ａ，２３３ａ，２４３ａ…日時範囲
２２２ｂ，２４２ｂ…移動部
２５３ａ，２５３ｂ，２５３ｃ…コメント
２６１…ピクセル幅
２６２ａ，２６２ｂ，２６２ｃ…コメント幅
２７５…位置合わせボタン
２８５…戻るボタン
ＡＲ１，ＡＲ２，ＡＲ３…矢印
ＭＰ…マウスポインタ
【図１】
2020038641.tif 000003
【図２】
2020038641.tif 000004
【図３】
2020038641.tif 000005
【図４】
2020038641.tif 000006
【図５】
2020038641.tif 000007
【図６】
2020038641.tif 000008
【図７】
2020038641.tif 000009
【図８】
2020038641.tif 000010
【図９】
2020038641.tif 000011
【図１０】
2020038641.tif 000012
【図１１】
2020038641.tif 000013
【図１２】
2020038641.tif 000014
【図１３】
2020038641.tif 000015
【図１４】
2020038641.tif 000016
【図１５】
2020038641.tif 000017
【図１６】
2020038641.tif 000018
【図１７】
2020038641.tif 000019
【図１８】
2020038641.tif 000020
【図１９】
2020038641.tif 000021
【図２０】
2020038641.tif 000022
【図２１】
2020038641.tif 000023
【図２２Ａ】
2020038641.tif 000024
【図２２Ｂ】
2020038641.tif 000025
【図２２Ｃ】
2020038641.tif 000026
【図２３Ａ】
2020038641.tif 000027
【図２３Ｂ】
2020038641.tif 000028
【図２４Ａ】
2020038641.tif 000029
【図２４Ｂ】
2020038641.tif 000030
【図２５】
2020038641.tif 000031
【図２６】
2020038641.tif 000032
【図２７】
2020038641.tif 000033
【図２８】
2020038641.tif 000034